(57)【要約】【課題】蓋部材を収納部材から外れ難くさせると共に確実に開閉作業が行われたことをユーザが確認することができるようにする。【解決手段】一端が開放され、その周囲に口部４を有する収納部材２と、口部４に重なり合う蓋部材３と、からなっている。蓋部材３の内周面には、係合部２２と、ロック部２４を設けた。更に、収納部材２の口部４の外周面には、係合部２２が係合されると共に蓋部材３をガイドする係合受部１３と、ロック部２４が着脱可能に係止されるロック受部１４を設けた。 【選択図】図１
2010023908.tif 000002
【特許請求の範囲】
【請求項１】
一端が開放され、その周囲に口部を有する収納部材と、
前記口部に重なり合う蓋部材と、からなる収納容器において、
前記蓋部材の内周面に設けられた係合部と、
前記蓋部材の内周面に設けられたロック部と、
前記収納部材の口部の外周面に設けられ、前記係合部が係合されると共に前記蓋部材をガイドする係合受部と、
前記収納部材の口部の外周面に設けられ、前記ロック部が着脱可能に係止されるロック受部と
を備えたことを特徴とする収納容器。
【請求項２】
前記口部は、略円筒形状に形成されており、
前記蓋部材は、略円形状の上面部と、前記上面部の外縁に沿って連続された側面部とから構成され、
前記係合受部は、前記口部の外周面から突出する複数の突条からなる
ことを特徴とする請求項１に記載の収納容器。
【請求項３】
前記ロック部は、前記蓋部材の内周面に略等間隔に配置され、且つ、前記蓋部材の周方向に延びる複数の凸部であり、
前記ロック受部は、前記口部の外周面に沿って連続して形成されたリング状の突条である
ことを特徴とする請求項１又は２に記載の収納容器。
【請求項４】
前記ロック部は、前記複数の係合片を切り欠くことにより前記複数の係合片と一体に形成され、
前記ロック受部は、前記複数の突条と一体に形成された凸部である
ことを特徴とする請求項２に記載の収納容器。
【請求項５】
前記複数の突条は、前記口部の開放端部に対して傾斜して設けられた
ことを特徴する請求項２〜４のいずれかに記載の収納容器。 
【発明の詳細な説明】
【技術分野】
【０００１】
本発明は、収納部材とこの収納部材に重なり合う蓋部材からなる収納容器に関し、特に蓋部材と収納部材の開閉構造に関するものである。
【背景技術】
【０００２】
従来の収納容器の開閉構造としては、例えば、特許文献１に記載されているようなものがある。特許文献１には、構成部材に設けた螺子のような断面隆起状部を互いに摩擦係止させて締結させる締結装置に関するものが記載されている。
【０００３】
この特許文献１に開示されている締結装置は、２つの構成部材を備え、一方の構成部材に対して他方の構成部材が所定の位置関係を保持している。そして、一方の構成部材には、所定のリード角を有する少なくとも２個の断面隆起状部が設けられている。また、他方の構成部材には、一方の構成部材に設けた断面隆起状部が係止される少なくとも２個の断面隆起状部が設けられている。他方の構成部材に設けた少なくとも２個の断面隆起状部のうち少なくともの１個の断面隆起状部は、一方の構成部材に設けた断面隆起状部のリード角とは異なったリード角を有している。
【０００４】
そして、両構成部材を互いに対向して接近するように移動させることで、リード角の異なった断面隆起状部が摩擦係止する。このようにして特許文献１に記載されている締結装置は、２つの構成部材を一体に固定している。
【特許文献１】特開２００４−１２５０６９号公報
【発明の開示】
【発明が解決しようとする課題】
【０００５】
特許文献１に記載された締結装置の締結方法は、異なるリード角を有する断面隆起状部を摩擦係止することで２つの構成部材を締結している。そのため、この締結装置を液状の化粧品等を収納する収納部材と蓋部材とからなる収納容器に用いた場合、断面隆起状部に液状の化粧品等が付着すると、断面隆起状部の摩擦係数が低下する。その結果、特許文献１に記載された締結装置の締結方法では、係止摩擦している断面隆起状部が滑り、蓋部材が収納部材から外れるおそれがある、という問題がある。
【０００６】
また、特許文献１に記載された締結装置では、締結したときに、クリック感やクリック音が発生しない。そのため、ユーザは、開閉作業が確実に行われていることを確認することができない。その結果、特許文献１に記載された締結装置では、蓋部材と収納部材の締結が不十分な状態で係止作業が終了するおそれがあると共にユーザに対して不安感を与える、という不具合がある。
【０００７】
本発明の目的は、上述の問題点を考慮し、蓋部材を収納部材から外れ難くさせると共に確実に開閉作業が行われたことをユーザが確認することができる収納容器を提供することにある。
【課題を解決するための手段】
【０００８】
上述課題を解決し、本発明の目的を達成するため、本発明の収納容器は、一端が開放され、その周囲に口部を有する収納部材と、口部に重なり合う蓋部材と、からなっている。蓋部材の内周面に設けられた係合部と、蓋部材の内周面に設けられたロック部と、を備えている。更に、収納部材の口部の外周面に設けられ、係合部が係合されると共に蓋部材をガイドする係合受部と、収納部材の口部の外周面に設けられ、ロック部が着脱可能に係止されるロック受部とを備えた。 
【発明の効果】
【０００９】
本発明の収納容器によれば、蓋部材と収納部材を取り付ける際に、ロック部とロック受部が係止することにより、収納部材から蓋部材を外れ難くすることができる。また、ロック部とロック受部が係止する際に、クリック感やクリック音が発生するため、ユーザは、このクリック感やクリック音により蓋部材と収納部の開閉作業が確実に行われていることを確認することができる。
【発明を実施するための最良の形態】
【００１０】
以下、本発明の収納容器の実施形態の例について、図１〜図１１を参照して説明する。なお、各図において共通の部材には、同一の符号を付している。また、本発明は、以下の形態に限定されるものではない。
【００１１】
１．第１の実施の形態
［収納容器の構成例］ 
まず、図１〜図４を参照して本発明の収納容器の第１の実施形態の例について説明する。図１は本発明の収納容器の第１の実施形態の例（以下、「本例」という。）を示す分解斜視図、図２は収納容器の斜視図、図３及び図４は、収納容器の要部を拡大して示す断面図である。
【００１２】
図１及び図２に示す本例に係る収納容器１は、例えば液状の化粧品を収納する液体化粧料容器である。収納容器１は、一面が開口された容器状の収納部材２と、この収納部材２の開口を閉じるように重なり合う蓋部材３とから構成されている。そして、図２に示すように、この収納容器１は、蓋部材３を収納部材２に重ね合わせた状態で中空の略円柱形状をなしている。
【００１３】
［収納部材］
収納部材２は、中空の略円柱形に形成されており、一端が開放されて、他端が閉じている。収納部材２は、略円筒状の口部４と、口部４から連続して設けられた収納部６と、収納部６の周囲を覆う脚部７から構成されている。
【００１４】
口部４は、略円筒状に形成されている。口部４は、軸方向の一端に開放端部８を有し、軸方向の他側に段差部１１を有している。開放端部８は、その端面に沿って溝部１２が連続して形成されている。溝部１２は、断面形状が略三角形状に凹んでいる。また、口部４は、外周面に係合受部１３とロック受部１４を有している。
【００１５】
係合受部１３は、開放端部８と段差部１１の間に配設されている。係合受部１３は、略等間隔で、且つ口部４に対して等角度に配置された第１の突条片群１３Ａと第２の突条片群１３Ｂから構成されている。第１の突条片群１３Ａは、口部４の周方向に沿って略等間隔を開けて略平行に配置された４つの突条片１６，１６，１６，１６を有している。同様に、図に現れない第２の突条片群１３Ｂは、口部４の周方向に沿って略等間隔を開けて略平行に配置された突条の一具体例を示す４つの突条片１６，１６，１６，１６を有している。
【００１６】
突条片１６は、段差部１１から略垂直に開放端部８の近傍まで延在した突条である。この突条片１６は、開放端部８側の一端部が略三角形状に形成されている。さらに、突条片１６は、角部が面取りされており、断面形状が略台形状に形成されている。そして、突条片１６の段差部１１側の近傍にロック受部１４が配設されている。ロック受部１４は、口部４の外周面において、その周方向に沿って連続して設けられたリング状の突条である。
【００１７】
なお、本例では、複数の突条片１６を２つの突条片群に分けて収納部材２に配置している。しかしながら、突条片群の数を３つ以上或いは１つだけ設けてもその目的を達成できるものである。また、突条片群を構成する突条片は、５つ以上或いは少なくとも２つあればよい。更に、複数の突条片１６を収納部材２の口部４の全周に亘って所定の間隔を開けて配置してもよい。
【００１８】
また、収納部材２は、口部４の段差部１１の下側に、収納部６が配置されている。収納部６は、口部４の開放端部８と反対方向に略半球状に膨出し、中空のドーム状に形成されている。この収納部６と口部４で形成する空間に、例えば、液状の化粧品等の被収納物が貯留される。そして、収納部６の外周を覆うように略円筒状の脚部７が配設されている。脚部７は、口部４の段差部１１の下側から連続して形成されている。そして、この脚部７は、落下等の外部からの衝撃力を吸収することが可能である。その結果、脚部７によって、収納部６が外部からの衝撃力で破損することを防止し又は抑制することができる。そして、このような構成を有する収納部材２に蓋部材３が取り付けられる。
【００１９】
［蓋部材］
蓋部材３は、中空の略円柱形状をなしており、一端が開放されて、他端が閉じている。蓋部材３は、略円盤状の上面部３ａと、上面部３ａの外縁から略垂直をなして連続する側面部３ｂを有している。そして、側面部３ｂは、円筒状に形成されている。蓋部材３は、側面部３ｂの直径が収納部材２の口部４の直径と略等しく、或いは僅かに大きくなるように設定されている。これにより、図２及び図３Ａに示すように、蓋部材３を収納部材２に取り付けた際に、蓋部材３の側面部３ｂが収納部材２の口部４の外周を覆うように口部４と重なり合う。
【００２０】
蓋部材３の上面部３ａの内面には、側面部３ｂの近傍に沿って円環状に配置された凸条部２１が設けられている。凸条部２１は、断面形状が略三角形状に形成されており、上面部３ａの内面から下方に向けて突出している。そして、図４に示すように、この凸条部２１は、蓋部材３を収納部材２に重ね合わせたときに、口部４の開放端部８に設けた溝部１２と嵌合する。これにより、蓋部材３と収納部材２との密閉性を高めることができる。
【００２１】
なお、本例では、蓋部材３と収納部材２との密閉性を高めるために、収納部材２に溝部１２を設けると共に蓋部材３に溝部１２と嵌合する凸条部２１を設けた例を説明した。しかしながら、例えば、蓋部材３の上面部３ａの内面に、略円盤状のシリコンゴムを貼り付けてもよい。これにより、蓋部材３を収納部材２に重ね合わせた際には、収納部材２の開放端部８が蓋部材３のシリコンゴムに押し込まれる。このような構成によっても、蓋部材３と収納部材２との密閉性を高めることが可能である。
【００２２】
また、側面部３ｂの内周面には、係合部２２とロック部２４が設けられている。係合部２２は、側面部３ｂの内周面に沿って略等間隔で、且つ中心に対してそれぞれ略等間隔に配置された２つの突起群２２Ａ，２２Ｂから構成されている。２つの突起群２２Ａ，２２Ｂは、それぞれ所定の間隔を開けて配置された８つの突起２３を有している。突起２３は、それぞれ略円錐台形状に形成されている。そして、この係合部２２は、突起２３が収納部材２の係合受部１３を構成する突条片１６の間に嵌り込む。
【００２３】
なお、突起群を４つの突起から構成した例を説明したが、突起群を構成する突起の数は、５つ以上或いは少なくとも２つあればその目的を達成できるものである。また、係合部を複数の突起からなる２つの突起群から構成した例を説明したが、係合部を構成する突起群の数は、少なくとも１つあればよい。更に、複数の突起を蓋部材の側面部の全周に亘って所定の間隔を開けて配置することで係合部を構成するようにしてもよい。
【００２４】
ロック部２４は、側面部３ｂの内周面における開口部の近傍に配設されている。そして、このロック部２４は、４つのロック片２６，２６，２６，２６から構成されている。４つのロック片２６は、側面部３ｂの内周面に略等間隔で、且つそれぞれ中心に対して略等角度に配置されている。４つのロック片２６は、それぞれ側面部３ｂの周方向に延びる凸部である。そして、図５に示すように、この４つのロック片２６は、蓋部材３と収納部材２の口部４を重ね合わせたときに、口部４に設けたロック受部１４に係止される。これにより、蓋部材３と収納部材２の締結力を高めることができ、蓋部材３を収納部材２から外れ難くすることが可能である。
【００２５】
なお、本例では、ロック部２４を構成するロック片２６の数を４つとしたが、ロック片の数は、３つ以下或いは５つ以上設けてもよい。また、ロック片の数と配置は、蓋部材と収納部材の締結状態のバランスを考慮すると、略等間隔で且つ略等角度に少なくとも３つ設けることが好ましい。
【００２６】
このような構成を有する収納部材２及び蓋部材３は、例えば、高分子材料からなるエンジニアリングプラスチック等を射出成型することにより形成される。また、収納部材２及び蓋部材３の材質としては、エンジニアリングプラスチックが好適であるが、エンジニアリングプラスチック以外に金属やガラス等を用いてもよいことは勿論である。ここで、本例では、突起及び突条片を所定の個数ごとに間隔を開けて配置している。そのため、突起及び突条片を蓋部材の側面部及び口部の全周に配置する場合よりも、収納部材及び蓋部材を射出成型で形成する際に、収納部材及び蓋部材を金型から外し易くすることができる。
【００２７】
次に、図１〜図４を参照して、このような構成を有する収納容器１における収納部材２と蓋部材３の開閉動作について説明する。
まず、図１に示すように、収納部材２における口部４の開放端部８の上方に、蓋部材３における側面部３ｂの開放側を臨ませる。次に、蓋部材３を収納部材２の開口を閉じるように重ね合わせる。そして、隣り合う２つの突条片１６，１６の間に、突起２３が摺動可能に挿入される。ここで、突条片１６の開放端部８側の一端部は、略三角形状に形成されている。これにより、突起２３が突条片１６の一端部に引っ掛かることなく、スムースに２つの突条片１６，１６の間に挿入することができる。
【００２８】
蓋部材３を収納部材２の段差部１１側へ押し込むと、突起２３が２つの突条片１６，１６の間を摺動することで、蓋部材３が略垂直に落下する。そして、係合部２２の複数の突起２３と係合受部１３の突条片１６が係合する。
【００２９】
次に、蓋部材３のロック部２４が収納部材２のロック受部１４に当接する。この状態で、更に蓋部材３を押し込むと、図３に示すように、ロック部２４が、ロック受部１４に着脱可能に係止される。そして、係合部２２が係合受部１３に係合される。ここで、ロック部２４を構成する４つのロック片２６が、突条であるロック受部１４を乗り越える際に、クリック感やクリック音が発生する。このクリック感やクリック音によって、ユーザは、蓋部材が収納部材に係止されたことを確認することができる。これにより、蓋部材３と収納部材２の閉蓋作業が完了し、蓋部材を収納部材に取り付けることができる。
【００３０】
また、本発明の収納容器１によれば、蓋部材３のロック部２４が収納部材２に設けたロック受部１４に係止されることで、蓋部材３と収納部材２の締結力を高めることが可能となる。これにより、係合部及び係合受部に液状の収納物が付着して係合部と係合受部の摩擦係数が低下したり、外部からの衝撃力の入力等によって、蓋部材が緩むことを防止し又は抑制することができる。
【００３１】
更に、本発明の収納容器１は、突起２３が２つの隣り合う突条片１６，１６の間に形成された溝に沿って摺動することで、蓋部材３が、収納部材２に対し所定の位置関係を保持した状態で移動する。その結果、蓋部材３を収納部材２に対して上方から押し込むだけで、簡単に取り付けることができる。
【００３２】
なお、図４に示すように、蓋部材３の係合部２２が収納部材２のロック受部１４に係止されると、蓋部材３に設けた凸条部２１が収納部材２に設けた溝部１２に嵌合する。これにより、蓋部材３と収納部材２との密閉性を高まることができる。
【００３３】
次に、収納部材２から蓋部材３を取り外す場合は、ロック部２４のロック片２６とロック受部１４との係止を外す。このとき、ロック部２４のロック片２６がロック受部１４を乗り越える際にクリック感やクリック音が発生する。これにより、蓋部材３を取り外す場合おいてもクリック感やクリック音が発生するため、ユーザは、蓋部材３と収納部材２の係止が解除されたことを確認することができる。そして、突起２３を隣り合う２つの突条片１６，１６の間に形成された溝に沿って移動させることで、極めて容易に収納部材２から蓋部材３を取り外すことが可能である。
【００３４】
２．第２の実施の形態
［収納容器の構成例］
次に、図５〜図８を参照して本発明の収納容器の第２の実施形態の例について説明する。図５は本発明の収納容器の第２の実施形態の例を示す分解斜視図、図６は収納容器の断面図である。図７及び図８は、蓋部材と収納部材の開閉動作を説明する説明図である。
【００３５】
図５及び図６に示すように、この第２の実施形態の例に係る収納容器３０は、収納部材３２と蓋部材３３から構成されている。収納部材３２は、第１の実施形態の例に係る収納容器１と同様に、口部３４と、収納部３６と、脚部３７を有している。そして、口部３４は、外周面に係合受部４３とロック受部４４を有している。
【００３６】
係合受部４３は、第１の実施形態の例に係る収納容器１と同様に、開放端部３８と段差部４１の間に配設されている。この係合受部４３は、略等間隔で、且つ略等角度に配設された第１の突条片群４３Ａと第２の突条片群４３Ｂから構成されている。第１の突条片群４３Ａは、口部４の周方向に沿って略等間隔を開けて配置された４つの突条片４６，４６，４６，４６を有している。同様に、第２の突条片群４３Ｂは、口部４の周方向に沿って略等間隔を開けて配置された突条の他の具体例を示す４つの突条片４６，４６，４６，４６を有している。
【００３７】
突条片４６は、段差部４１から開放端部３８の近傍に向けて延在する突条である。突条片４６は、開放端部３８に対して所定の角度をもって傾斜しており、正面側から見て右側に傾いている。そして、この突条片４６の長手方向の段差部４１側に、ロック受部４４が一体に設けられている。ロック受部４４は、突条片４６の側面部から略三角形状に張り出す凸部である。
【００３８】
蓋部材３３は、側面部３３ｂの内周面に、係合部５２とロック部５４が設けられている。係合部５２は、側面部３３ｂの内周面に沿って略等間隔で、且つ略等角度に配置された３つの係合片群５２Ａ，５２Ｂ，５２Ｃから構成されている。３つの係合片群５２Ａ〜５２Ｃは、それぞれ所定の間隔を開けて配置された５つの係合片５３，５３，５３，５３，５３を有している。５つの係合片５３における隣り合う２つの係合片５３の間隔は、係合受部４３の隣り合う２つの突条片４６の間隔よりもやや小さく、且つ１つの突条片４６の幅と略同一になるように設定されている。
【００３９】
係合片５３は、断面形状が略三角形状をなしており、蓋部材３３の開口に対して所定の角度をもって傾斜し、突条片４６の傾斜角度と略同一に設定されている。そして、この係合片５３の一部を略三角形状に切り欠くことにより、ロック部５４が一体に形成されている。
【００４０】
なお、本例では、複数の係合片５３を３つの係合片群に分けて蓋部材３３に配置している。しかしながら、係合片群の数を４つ以上或いは２つ以下だけ設けてもその目的を達成できるものである。また、係合片群を構成する係合片の数を５つとしたが、係合片群を構成する係合片は、６つ以上或いは少なくとも２つあればよい。更に、複数の係合片５３を側面部３３ｂにおける内周面の全周に亘って所定の間隔を開けて配置してもよい。
【００４１】
その他の構成は、上述した第１の実施の形態にかかる収納容器１と同様であるため、それらの説明は省略する。このような、構成を有する収納容器３０によっても、上述した第１の実施の形態にかかる収納容器１と同様の作用及び効果を得ることができる。
【００４２】
［開閉動作の説明］
次に、図７及び図８を参照して、このような構成を有する収納容器３０における収納部材３２と蓋部材３３の開閉動作について説明する。
まず、図７Ａに示すように、収納部材３２における口部３４の開放端部３８の上方に、蓋部材３３における側面部３３ｂの開放側を臨ませる。次に、蓋部材３３を収納部材３２の開口を閉じるように重ね合わせる。これにより、図７Ａ及び図７Ｂに示すように、隣り合う２つの係合片５３，５３の間に突条片４６が嵌り込む。そして、隣り合う２つの突条片４６，４６の間に、２つの係合片５３，５３が摺動可能に挿入される。次に、図７Ｂに示すように、蓋部材３３を収納部材３２の段差部４１側へ押し込むと、係合片５３は、突条片４６に沿って摺動する。
【００４３】
次に、図８Ｂに示すように、係合片５３が、突条片４６に設けたロック受部４４に当接する。この状態で、更に蓋部材３３を押し込むと、図７Ｃ及び図８Ｃに示すように、係合片５３に設けたロック部５４が、ロック受部４４に着脱可能に係止される。そして、係合部５２が係合受部４３に係合される。ここで、係合片５３の一部が、ロック受部４４を乗り越える際に、クリック感やクリック音が発生する。このクリック感やクリック音によって、ユーザは、蓋部材が収納部材に係止されたことを確認することができる。また、蓋部材３３のロック部５４が収納部材３２に設けたロック受部４４に係止されることで、蓋部材３３と収納部材３２の締結力を高めることが可能となる。これにより、蓋部材３３と収納部材３２の閉蓋作業が完了し、蓋部材を収納部材に取り付けることができる。
【００４４】
また、収納部材３２から蓋部材３３を取り外す場合は、蓋部材３３を収納部材３２に対して左周りに回動させて、ロック部５４とロック受部４４の係止を解除する。
【００４５】
なお、本実施の形態の例では、突条片４６及び係合片５３の角部は、それぞれ面取りされている。これにより、係合片５３が突条片４６に設けたロック受部４４を乗り越え易くなり、ロック部５４とロック受部４４の係止作業をスムースに行うことができる。
【００４６】
また、本実施の形態の係る収納容器３０に、第１の実施の形態の例に係る収納容器１におけるロック部２４及びロック受部１４の構成を組み合わせてもよい。即ち、蓋部材３３の側面部３３ｂの内周面における開口側にロック片からなる第２のロック部を設け、収納部材３２の口部３４に第２のロック部が着脱可能に係止される第２のロック受部を設ける。第２のロック受部は、第１の実施の形態の例に係るロック受部１４と同一の構成を有しており、口部３４の外周面において、その周方向に沿って連続して設けられたリング状の突条である。
【００４７】
これにより、係合片５３及び突条片４６と一体に設けられたロック部５４及びロック受部４４と第２のロック部及び第２のロック受部の２つの係止手段で、蓋部材と収納部材を締結することができる。その結果、蓋部材と収納部材を更に強固に締結することができ、蓋部材と収納部材の締結が緩むことを防止し又は抑制することが可能である。
【００４８】
３．第３の実施の形態
［収納容器の構成例］
まず、図９〜図１１を参照して本発明の収納容器の第１の実施形態の例について説明する。図９は本発明の収納容器の第３の実施形態の例を示す分解斜視図、図１０は収納容器の断面図である。図１１は、収納容器における蓋部材と収納部材の開閉動作を説明する説明図である。
【００４９】
図９及び図１０に示す本例に係る収納容器６０は、一面が開口された容器状の収納部材６２と、この収納部材６２の開口を閉じるように重なり合う蓋部材６３とから構成されている。
【００５０】
［収納部材］
収納部材６２は、第１の実施形態の例に係る収納容器１と同様に、中空の略円柱形に形成されており、一端が開放されて、他端が閉じている。収納部材６２は、略円筒状の口部６４と、収納部６６と、収納部６６の周囲を覆う脚部６７から構成されている。そして、口部６４は、外周面に係合受部７３とロック受部７４を有している。
【００５１】
係合受部７３は、開放端部６８と段差部７１の間に配設されている。係合受部７３は、略等間隔で、且つ口部６４に対して等角度に配置された第１の突条片群７３Ａと第２の突条片群７３Ｂから構成されている。第１の突条片群７３Ａは、口部６４の周方向に沿って略等間隔を開けて略平行に配置された４つの突条片７６，７６，７６，７６を有している。同様に、図に現れない第２の突条片群７３Ｂは、口部６４の周方向に沿って略等間隔を開けて略平行に配置された突条の更に他の具体例を示す４つの突条片７６，７６，７６，７６を有している。
【００５２】
突条片７６は、開放端部６８に対して所定の角度をもって傾斜した突条であり、段差部７１から開放端部６８の近傍まで延在している。この突条片７６は、正面から見て右側に傾いて形成されている。なお、突条片７６は、角部が面取りされており、断面形状が略台形状に形成されている。そして、突条片７６の段差部７１側の近傍にロック受部７４が配設されている。また、突条片７６は、開放端部６８側の一端部が略半球条に形成されている。ロック受部７４は、前述した第１の実施形態の例に係る収納容器１のロック受部１４と同様の構成を有しているため、その説明を省略する。
【００５３】
なお、本例では、複数の突条片７６を２つの突条片群に分けて収納部材６２に配置している。しかしながら、突条片群の数を３つ以上或いは１つだけ設けてもその目的を達成できるものである。また、突条片群を構成する突条片は、５つ以上或いは少なくとも２つあればよい。更に、複数の突条片７６を収納部材６２の口部６４の全周に亘って所定の間隔を開けて配置してもよい。
【００５４】
［蓋部材］
蓋部材６３は、上述した第１の実施形態の例に係る収納容器１と同様に、上面部６３ａの内面に、側面部６３ｂの近傍に沿って円環状に配置された凸条部８１が設けられている。また、蓋部材６３は、側面部６３ｂの内周面に、係合部８２とロック部８４が設けられている。
【００５５】
係合部８２は、側面部６３ｂの内周面に沿って略等間隔で、且つ略等角度に配置された複数の係合片８３から構成されている。なお、複数の係合片８３における隣り合う２つの係合片８３の間隔は、係合受部７３の隣り合う２つの突条片７６の間隔よりもやや小さく、且つ１つの突条片７６の幅と略同一になるように設定されている。係合片８３は、断面形状が略三角形状をなす突条である。この係合片８３は、蓋部材３の開口に対して所定の角度をもって傾斜している。そして、係合片８３の傾斜角度は、係合受部７３の突条片７６の傾斜角度と略等しくなるように設定されており、突条片７６の傾き方向に対応した方向に傾斜している。
【００５６】
ロック部８４は、上述した第１の実施形態の例に係る収納容器１のロック部２４と同一の構成を有しているため、その説明を省略する。そして、図１０Ａに示すように、この４つのロック片８６は、蓋部材６３と収納部材６２の口部６４を重ね合わせたときに、口部６４に設けたロック受部７４に係止される。これにより、蓋部材６３と収納部材６２の締結力を高めることができ、蓋部材６３を収納部材６２から外れ難くすることが可能である。
【００５７】
その他の構成は、上述した第１の実施の形態にかかる収納容器１と同様であるため、それらの説明は省略する。このような、構成を有する収納容器６０によっても、上述した第１の実施の形態にかかる収納容器１と同様の作用及び効果を得ることができる。
【００５８】
［開閉動作の説明］
次に、図１１を参照して、このような構成を有する収納容器６０における収納部材６２と蓋部材６３の開閉動作について説明する。
まず、図１１Ａに示すように、収納部材６２における口部６４の開放端部６８の上方に、蓋部材６３における側面部６３ｂの開放側を臨ませる。次に、蓋部材６３を収納部材６２の開口を閉じるように重ね合わせる。ここで、複数の係合片８３における隣り合う２つの係合片８３の間隔は、係合受部７３における隣り合う２つの突条片７６の間隔よりもやや小さく、且つ１つの突条片７６の幅と略同一になるように設定されている。これにより、図１１Ａに示すように、隣り合う２つの係合片８３，８３の間に突条片７６が嵌り込む。そして、隣り合う２つの突条片７６，７６の間に、２つの係合片８３，８３が摺動可能に挿入される。
【００５９】
なお、４つの突条片７６は、開放端部６８側の一端部を略半球状に丸く形成している。これにより、蓋部材６３の係合片８３が、突条片７６の一端部に引っ掛かることを抑制し、又は防止することができる。その結果、蓋部材６３を収納部材６２にスムースに重ね合わせることが可能である。
【００６０】
図１１Ｂに示すように、蓋部材６３を収納部材６２の段差部７１側へ押し込むと、係合片８３は、突条片７６に沿って摺動する。ここで、突条片７６は、開放端部６８に対して所定の角度（例えば、４５度）をもって傾斜しており、係合片８３も同様に、側面部６３ｂの開放側に対して所定の角度（例えば、４５度）をもって傾斜している。そのため、蓋部材６３は、係合部８２が係合受部７３にガイドされることで、突条片７６の傾斜に沿って収納部材６２に対して回動する（本例では、右回りに回動する）。そして、係合部８２の複数の係合片８３と係合受部７３の突条片７６が係合する。
【００６１】
次に、図１１Ｃに示すように、蓋部材６３のロック部８４が収納部材６２のロック受部７４に当接する。この状態で、更に蓋部材６３を押し込むと、図１１Ｄに示すように、ロック部８４が、ロック受部７４に着脱可能に係止される。そして、係合部８２が係合受部７３に係合される。ここで、ロック部８４を構成する４つのロック片８６が、突条であるロック受部７４を乗り越える際に、クリック感やクリック音が発生する。このクリック感やクリック音によって、ユーザは、蓋部材が収納部材に係止されたことを確認することができる。これにより、蓋部材６３と収納部材６２の閉蓋作業が完了し、蓋部材を収納部材に取り付けることができる。
【００６２】
また、本発明の収納容器６０によれば、係合受部７３を構成する突条片７６と係合部８２を構成する係合片８３を、それぞれ口部６４及び側面部６３ｂに対して略同一の傾斜角度に設定している。そして、蓋部材６３を収納部材６２に押し込むことで蓋部材６３に設けた係合部８２が収納部材６２に設けた係合受部７３によってガイドされる。これにより、蓋部材６３は、収納部材６２に対し所定の位置関係を保持した状態で移動する。その結果、蓋部材６３を収納部材６２に対して上方から押し込むだけで、簡単に取り付けることができる。
【００６３】
なお、図１０に示すように、この第３の実施形態の例に係る収納容器６０においても、上述した第１の実施形態の例に係る収納容器１と同様に、蓋部材６３に設けた凸条部８１が収納部材６２に設けた溝部７２に嵌合する。これにより、蓋部材６３と収納部材６２との密閉性を高まることができる。
【００６４】
次に、収納部材６２から蓋部材６３を取り外す場合は、蓋部材６３を収納部材６２に対して左回りに回動させる。このとき、ロック部８４のロック片８６がロック受部７４を乗り越える際にクリック感やクリック音が発生する。これにより、蓋部材６３を取り外す場合おいてもクリック感やクリック音が発生するため、ユーザは、蓋部材６３と収納部材６２の係止が解除されたことを確認することができる。そして、蓋部材６３を収納部材６２の突条片７６の傾斜に沿って回動させることで、極めて容易に収納部材６２から蓋部材６３を取り外すことが可能である。
【００６５】
なお、本例では、係合受部７３の複数の突条片７６の傾斜角度を全て同一に設定したが、複数の突条片７６のうち少なくとも１つの突条片７６の傾斜角度を、他の突条片の傾斜角度と異なる角度に設定してもよい。そのため、蓋部材６３を収納部材６２に取り付ける際に、他と異なる傾斜角度を有する突条片７６に、係合片８３が圧入される。このとき、蓋部材６３は、略同一の傾斜角度を有する突条片７６と係合片８３が互いに摺動することで収納部材６２に対して所定の位置関係を保持した状態で移動する。これにより、他と異なる傾斜角度を有する突条片７６は、係合片８３と互いに弾性変形しながら摩擦係合する。その結果、突条片７６と係合片８３が摩擦係合することにより、蓋部材６３と収納部材６２の締結状態を更に強固なものとすることができる。
【００６６】
なお、本発明は上述しかつ図面に示した実施の形態に限定されるものではなく、特許請求の範囲に記載した発明の要旨を逸脱しない範囲内で種々の変形実施が可能である。
【図面の簡単な説明】
【００６７】
【図１】本発明の収納容器の第１の実施の形態を示す分解斜視図である。
【図２】本発明の収納容器の第１の実施の形態を示す斜視図である。
【図３】本発明の収納容器の第１の実施の形態に係る要部を拡大して示す断面図である。
【図４】本発明の収納容器の第１の実施の形態に係る他の要部を拡大して示す断面図である。
【図５】本発明の収納容器の第２の実施の形態を示す分解斜視図である。
【図６】本発明の収納容器の第２の実施の形態を示す断面図であり、図６Ａは蓋部材と収納部材を重ねた状態を示す断面図、図６Ｂは蓋部材を示す断面図、図６Ｃは収納部材を示す断面図である。
【図７】本発明の収納容器の第２の実施の形態に係る蓋部材と収納部材の開閉作業を示す説明図である。
【図８】本発明の収納容器の第２の実施の形態に係るロック部とロック受部の係止状態を模式的に示す説明図である。
【図９】本発明の収納容器の第３の実施の形態を示す分解斜視図である。
【図１０】本発明の収納容器の第３の実施の形態を示す断面図であり、図１０Ａは蓋部材と収納部材を重ねた状態を示す断面図、図１０Ｂは蓋部材を示す断面図、図１０Ｃは収納部材を示す断面図である。
【図１１】本発明の収納容器の第３の実施の形態に係る蓋部材と収納部材の開閉作業を示す説明図である。
【符号の説明】
【００６８】
１，３０，６０…収納容器、  ２，３２，６２…収納部材、  ３，３３，６３…蓋部材、  ３ａ，６３ａ…上面部、  ３ｂ，３３ｂ，６３ｂ…側面部、  ４，３４，６４…口部、  ６，３６，６６…収納部、  ７，３７，６７…脚部、  ８，３８，６８…開放端部、  １１，４１，７１…段差部、  １２，７２…溝部、  １３，４３，７３…係合受部、  ６３Ａ…第１の突条片群、  ６３Ｂ…第２の突条片群、  １４，４４，７４…ロック受部、  １６，４６，７６…突条片（突条）、  ２１，８１…凸条部、  ２２，５２，８２…係合部、２３，５３，８３…係合片、２４，５４，８４…ロック部、  ２６，８６…ロック片  ５２Ａ…第１の係合片群、  ５２Ｂ…第２の係合片群、  ５２Ｃ…第３の係合片群
【図１】
2010023908.tif 000003
【図２】
2010023908.tif 000004
【図３】
2010023908.tif 000005
【図４】
2010023908.tif 000006
【図５】
2010023908.tif 000007
【図６】
2010023908.tif 000008
【図７】
2010023908.tif 000009
【図８】
2010023908.tif 000010
【図９】
2010023908.tif 000011
【図１０】
2010023908.tif 000012
【図１１】
2010023908.tif 000013